(57)【要約】【課題】原稿の種類を容易に特定する読取装置を提供する。【解決手段】読取装置は、光源及び反射光を検知する受光素子を備え、原稿台上の第１のサイズの原稿に対応する位置に設けられた第１センサと、光源及び反射光を検知する受光素子を備え、原稿台上の第１のサイズと異なる第２のサイズの原稿に対応する位置に設けられた第２センサとを備える。第１のサイズの原稿に対して第１センサの光源を発光させ且つ第２センサの光源を発光させないように、第１センサ及び第２センサを制御する。その制御の結果、第２センサの受光素子が第１センサの光源による反射光を検知したか否かに応じて、原稿台上の原稿種類を特定する。【選択図】図６
2015222871.tif 000002
【特許請求の範囲】
【請求項１】
原稿台上の原稿を光学的に読み取る読取装置であって、
光源と、光源からの反射光を検知する受光素子とを備え、前記原稿台上の第１のサイズの原稿に対応する位置に設けられた第１センサと、
光源と、光源からの反射光を検知する受光素子とを備え、前記原稿台上の前記第１のサイズと異なる第２のサイズの原稿に対応する位置に設けられた第２センサと、
前記第１のサイズの原稿に対して前記第１センサの光源を発光させ、且つ、前記第２センサの光源を発光させないように、前記第１センサ及び前記第２センサを制御する制御手段と、
前記制御手段による制御の結果、前記第２センサの受光素子が前記第１センサの光源による反射光を検知したか否かに応じて、前記原稿台上の原稿種類を特定する特定手段と、
を備えることを特徴とする読取装置。
【請求項２】
前記特定手段は、前記第２センサの受光素子が前記第１センサの光源による反射光を検知した場合、前記第２センサの受光素子が前記第１センサの光源による反射光を検知しなかった場合の原稿種類よりも光を透過する原稿種類であると特定することを特徴とする請求項１に記載の読取装置。
【請求項３】
前記特定手段は、前記第１センサ及び前記第２センサの受光素子が前記第１センサの光源による反射光を検知した場合に、当該原稿種類は、前記第２センサの受光素子が前記第１センサの光源による反射光を検知しなかった場合の原稿種類よりも光を透過する原稿種類であると特定することを特徴とする請求項２に記載の読取装置。
【請求項４】
前記第１センサ及び前記第２センサの受光素子が前記第１センサの光源による反射光を検知した場合に、
前記制御手段は、前記第１センサの光源を発光させず、且つ、前記第２センサの光源を発光させるように、前記第１センサ及び前記第２センサを制御し、
前記特定手段は、前記第２センサの受光素子の検知結果の変化に基づいて、前記原稿台上の原稿種類を特定することを特徴とする請求項１に記載の読取装置。
【請求項５】
前記制御手段は、前記第１のサイズの原稿が置かれた前記原稿台上の原稿カバーが閉じる際に、前記第１サイズの原稿に対して前記第１センサの光源を発光させ、且つ、前記第２センサの光源を発光させないように、前記第１センサ及び前記第２センサを制御することを特徴とする請求項１乃至４のいずれか１項に記載の読取装置。
【請求項６】
前記制御手段は、前記第１のサイズの原稿が置かれた前記原稿台上の原稿カバーが所定の位置にある場合に、前記第１サイズの原稿に対して前記第１センサの光源を発光させ、且つ、前記第２センサの光源を発光させないように、前記第１センサ及び前記第２センサを制御することを特徴とする請求項５に記載の読取装置。
【請求項７】
前記第１のサイズは前記第２のサイズより大きいことを特徴とする請求項１乃至６のいずれか１項に記載の読取装置。
【請求項８】
光源と光源からの反射光を検知する受光素子とを備え、原稿台上の第１のサイズの原稿に対応する位置に設けられた第１センサと、光源と光源からの反射光を検知する受光素子とを備え、前記原稿台上の前記第１のサイズと異なる第２のサイズの原稿に対応する位置に設けられた第２センサと、を備え、前記原稿台上の原稿を光学的に読み取る読取装置において実行される制御方法であって、
前記第１のサイズの原稿に対して前記第１センサの光源を発光させ、且つ、前記第２センサの光源を発光させないように、前記第１センサ及び前記第２センサを制御する制御工程と、
前記制御工程における制御の結果、前記第２センサの受光素子が前記第１センサの光源による反射光を検知したか否かに応じて、前記原稿台上の原稿種類を特定する特定工程と、
を有することを特徴とする制御方法。
【発明の詳細な説明】
【技術分野】
【０００１】
本発明は、原稿台の原稿を光学的に読み取る読取装置及び制御方法に関する。
【背景技術】
【０００２】
従来から、画像読取対象の原稿サイズを検知するために、副走査方向に原稿サイズ検知センサを配置し、各センサの読取結果に基づき原稿のサイズを検知するようにした装置が知られている（特許文献１）。また、原稿サイズの検知の際に、黒色等、高濃度の画像に対する誤検知を防ぐ装置も知られている（特許文献２）。
【０００３】
上記のような原稿サイズの検知においては、原稿の媒体種類の識別が難しく、一律の媒体種類の原稿画像の読取しかできなかった。例えば、薄紙等半透明な原稿を読み取る際、裏映り問題が発生することが知られている。そこで、裏映り対策を行うために、そのような半透明紙に対応した裏映り対策モードの設定を手動で行った上で、画像読取を実行していた。そのため、画像読取を実行する前には、通常の原稿の読取と、半透明紙の読取とのいずれかの条件に設定しなければならず、通常原稿を優先すると、上記の裏映り対策を自動的に行うことができなかった。
【０００４】
一方、特許文献３には、シート搬送時にシートの透過光量を測定し、予め記憶されているシート種類毎の透過光量を参照することにより、搬送されているシートの種類を判別する装置が記載されている。
【先行技術文献】
【特許文献】
【０００５】
【特許文献１】特開平５−２０７２３９号公報
【特許文献２】特開平２−２２００３９号公報
【特許文献３】特開２００６−２５６８０４号公報
【発明の概要】
【発明が解決しようとする課題】
【０００６】
しかしながら、特許文献３の構成はシートの透過光量を測定するものであり、スキャナに適用しようとすると、原稿カバーに透過光量測定用の構成部品を設ける必要があり、実用上、困難である。
【０００７】
本発明の目的は、このような従来の問題点を解決することにある。上記の点に鑑み、原稿の種類を容易に特定する読取装置及び制御方法を提供することを目的とする。
【課題を解決するための手段】
【０００８】
上記課題を解決するため、本発明に係る読取装置は、原稿台上の原稿を光学的に読み取る読取装置であって、光源と、光源からの反射光を検知する受光素子とを備え、前記原稿台上の第１のサイズの原稿に対応する位置に設けられた第１センサと、光源と、光源からの反射光を検知する受光素子とを備え、前記原稿台上の前記第１のサイズと異なる第２のサイズの原稿に対応する位置に設けられた第２センサと、前記第１のサイズの原稿に対して前記第１センサの光源を発光させ、且つ、前記第２センサの光源を発光させないように、前記第１センサ及び前記第２センサを制御する制御手段と、前記制御手段による制御の結果、前記第２センサの受光素子が前記第１センサの光源による反射光を検知したか否かに応じて、前記原稿台上の原稿種類を特定する特定手段と、を備えることを特徴とする。
【発明の効果】
【０００９】
本発明によれば、原稿の種類を容易に特定することができる。
【図面の簡単な説明】
【００１０】
【図１】複写機の構成を示す図である。
【図２】原稿台を覆うカバーの開閉制御に係るブロック構成を示す図である。
【図３】画像読取装置の原稿台を覆うカバーが開いた状態を示す図である。
【図４】原稿検知センサが原稿を検知する際の原理を説明する図である。
【図５】他の原稿検知センサで反射光が検知される場合を説明する図である。
【図６】原稿種類判定処理の手順を示すフローチャートである。
【図７】原稿検知センサの受光センサの受光変化を示す図である。
【発明を実施するための形態】
【００１１】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１２】
図１は、本発明の実施形態における複写機１００の構成を示す図である。本実施形態では、複写機を例として説明するが、複写機以外にも、例えば、ＦＡＸ機能も実現可能な多機能型プリンタ（ＭＦＰ：ＭｕｌｔｉＦｕｎｃｔｉｏｎａｌ  Ｐｒｉｎｔｅｒ）であっても良い。複写機１００は、画像読取装置３００と印刷装置４００とを備える。画像読取装置３００は、ＡＤＦ（Ａｕｔｏ  Ｄｏｃｕｍｅｎｔ  Ｆｅｅｄｅｒ）２００を備える。
【００１３】
印刷装置４００は、複数枚のシートを積載した複数種類のシートカセット４０４、４０５を備え、シート（記録媒体）上に画像データに基づき画像を形成する。シートは、例えば、印刷用紙である。印刷装置４００は、例えば、ＰＣ等の汎用的な情報処理装置から画像データを取得する。露光制御部４０１は、印刷装置４００に入力された画像データに基づき変調された光信号を感光体４０２に対して照射するよう光源を制御する。その照射光によって感光体４０２上に生成された静電潜像は、現像器４０３によってトナー現像され、その結果、トナー画像が生成される。生成されたトナー画像は、転写部４０６により、シートカセット４０４と４０５の一方から搬送されるシートに対して転写される。
【００１４】
転写されたトナー画像は、定着部４０７によりシートに定着される。トナー画像が定着されたシートは、パス４１４を介して、シート排出部４０８から、複写機１００の外部に排出される。ここで、シートを反転させて排出する場合には、フラッパ４０９、４１７、４１３の案内によって、シートを反転路４１５、４１８、４１２の順で搬送する。そして、搬送ローラ４１１を逆回転させ、フラッパ４１３、４１７の案内によって搬送路４１６を介してシートを排出する。複写機１００は、そのような動作により、シートの表裏を反転して排出することができる。また、シートの裏面にも画像を形成させる場合には、シートをフラッパ４０９、４１７、４１３の案内によって、反転路４１５、４１８、４１２の順で搬送する。そして、搬送ローラ４１１を逆回転させ、フラッパ４１３の案内によって、反転搬送路４１０に送り込む。複写機１００は、そのような動作により、シートを表裏反転させ、再度、シートを感光体４０２に送り込み、シート裏面に画像を形成することができる。
【００１５】
ＡＤＦ２００は、シート状の原稿が載置される給紙トレイ２０１を備える。給紙トレイ２０１上の原稿は、ピックアップローラ２０２により順次、その最上位の原稿から搬送される。ピックアップローラ２０２により搬送された原稿は、分離搬送ローラ２０３及び分離パッド２０４により一枚ずつ分離される。分離された原稿は、レジストローラ対２０５及び上流側リードローラ対２０６により、透明原稿台３０１上に位置する搬送ローラ２０７と透明原稿台３０１との間に搬送される。更に、搬送ローラ２０７により下流側に搬送された原稿は、下流側リードローラ対２０８及び排紙ローラ対２０９により、排紙トレイ２１０上に排出される。以上のように、ＡＤＦ２００は、搬送ローラ２０７を介して、給紙トレイ２０１から排紙トレイ２１０に原稿を搬送することができる。搬送ローラ２０７は、図中の矢印で表わされる副走査方向ｄと交差する主走査方向（図中奥方向）を軸方向として延設されたローラである。
【００１６】
画像読取装置３００は、透明原稿台３０１、読取ユニット３０２、駆動ユニット３０３及びホームポジションセンサ３０４を備える。透明原稿台３０１は、例えばガラス板である。読取ユニット３０２は、透明原稿台３０１の下方に位置しており、透明原稿台３０１上の原稿画像を透明原稿台３０１の下方から光学的に読み取る。読取ユニット３０２は、原稿を照射する光源３０７、原稿からの反射光をリニアイメージセンサに導光する光学系（ミラー、レンズ等）、光源３０７により照射され原稿から反射された反射光に基づき原稿画像を読み取るリニアイメージセンサ３０２ａを備える。読取ユニット３０２は、副走査方向ｄに透明原稿台３０１と平行に移動可能であり、ホームポジションセンサ３０４は、読取ユニット３０２がホームポジションに位置していることを検出する。リニアイメージセンサ３０２ａは、主走査方向に１ライン分の原稿画像を読み取ることができる。リニアイメージセンサ３０２ａは、原稿からの反射光を光学系を介して結像し、原稿の反射光を電気信号に光電変換する。
【００１７】
駆動ユニット３０３は、読取ユニット３０２を副走査方向ｄに往復移動させる。駆動ユニット３０３は、例えば、モータを駆動源としたベルト伝動機構であり、ベルトに読取ユニット３０２が固定されている。本実施形態では、駆動ユニット３０３によって読取ユニット３０２を移動させることで、読取ユニット３０２の副走査方向ｄ上の画像読取位置（以下、読取位置という）を透明原稿台３０１に沿って移動させる。別の構成例として、例えば、リニアイメージセンサ３０２ａの位置は固定とし、光学系を移動させることで読取位置を変化させるように構成しても良い。
【００１８】
画像読取装置３００では、原稿の読取モードとして、通常読取モードと、流し読みモードとを選択的に実行することができる。ここで、通常読取モードとは、読取ユニット３０２を副走査方向ｄに移動することにより透明原稿台３０１上に載置された原稿を走査し、原稿の画像を読み取るモードである。一方、流し読みモードとは、読取ユニット３０２の読取位置を搬送ローラ２０７の下方の位置に固定的に位置させ、原稿を搬送ローラ２０７を介して給紙トレイ２０１から排紙トレイ２１０へ一定速度で搬送しながら、搬送される原稿を読み取るモードである。流し読みモードでは、複数枚の原稿を給紙トレイ２０１から排紙トレイ２１０へ連続的に搬送することで、それらの原稿の画像を連続的に読み取ることができる。いずれのモードの場合にも、読取ユニット３０２で読み取った画像を印刷装置４００でシートに印刷することができる。
【００１９】
本実施形態を実行する画像読取装置３００は、図１に示すように印刷装置４００等の他の装置と一体化されていても良いし、図３に示すフラットベッドスキャナのように、画像読取装置３００単体で構成されていても良い。
【００２０】
図２は、画像読取装置３００の原稿台を覆う原稿カバーの開閉制御に係るブロック構成を示す図である。ＣＰＵ２１は、画像読取装置３００全体を統括的に制御する。例えば、ＣＰＵ２１は、ユーザからの読取指示を受け付けた場合に、画像読取装置３００の各部を制御し、原稿台に配置された原稿用紙の読取制御、読取信号から画像データへの変換、シェーディング補正等の各画像処理の実行などを行う。原稿検知センサ２２及び２３は、透明原稿台３０１の下方に位置するＣＣＤやＣＭＯＳ等の反射型のイメージセンサであり、原稿サイズに応じた位置に配置されている。光学モータ２４は、読取ユニット３０２を副走査方向ｄに往復移動させるためのモータである。開閉検知センサ２５は、原稿台を覆うカバーが所定の角度となった状態を検知する。
【００２１】
図３は、画像読取装置３００の原稿台を覆うカバーが開いた状態を示す図である。図３は、画像読取装置３００がフラットベッドスキャナの場合を示しているが、図３のカバー３０の開閉動作は、図１のＡＤＦ２００の開閉動作にも対応する。図３に示すように、原稿検知センサ２２及び２３は、透明原稿台３０１の下方に設けられている。また、開閉検知センサ２５は、カバー３０のヒンジ等、開閉動作の支点となる部分に設けられている。また、カバー３０は、原稿台の原稿読取領域に対面する側に白色領域が設けられており、読取ユニット３０２の光源からの光は、原稿が配置された以外の領域では、その白色領域に照射されて反射する。
【００２２】
図４は、原稿検知センサ２２及び２３が原稿を検知する際の原理を説明するための図である。図４は、原稿台上に置かれた原稿４０と原稿検知センサ２２との位置関係のみを示している。また、図４では、原稿検知センサ２２のみが示されているが、本図における説明は原稿検知センサ２３についても同じである。領域４１は、原稿検知センサ２２の光源４３から照射された光の発光領域のうち、所定の角度の状態のカバー３０の白色領域上に照射される部分である。また、領域４２は、原稿検知センサ２２の受光センサ（受光素子）４４が受光可能な受光領域のうち、所定の角度の状態のカバー３０の白色領域上の部分を表わす。
【００２３】
図４では、原稿４０は、光源４３の発光領域と受光センサ４４の受光領域とが交差する原稿検知位置に重なっていない。ここで、原稿４０が原稿検知位置に重なった場合には、光源４３からの光が受光センサ４４で検知されることになり、その原稿検知センサ２２の位置から原稿４０のサイズが分かる。
【００２４】
図５は、原稿検知センサ２２の光源４３で発光された光が原稿検知センサ２３の受光センサ５４で検知される場合を説明するための図である。ここで、原稿検知センサ２２は、Ａ３サイズを検知する位置にあるものとし、原稿検知センサ２３は、Ａ４サイズを検知する位置にあるものとする。原稿４０がＡ３サイズの普通紙の場合には、原稿検知センサ２２の光源４３から発せられた光は、原稿検知位置１で反射して受光センサ４４により検知される。また、そのとき、原稿検知センサ２２の光源４３からの光は、原稿検知センサ２３の受光センサ５４で検知できるほど十分に原稿４０を透過しない。従って、原稿検知センサ２３の光源５３をオフ状態（発光させない）としている限り、原稿検知センサ２２が原稿４０を検知している場合に原稿検知センサ２３の受光センサ５４がカバー３０の白色領域上からの反射光を検知することはない。図５の領域５２は、原稿検知センサ２３の受光センサ５４が受光可能な受光領域のうち、所定の角度の状態のカバー３０の白色領域上の部分を表わす。
【００２５】
しかしながら、原稿４０がある程度の光を透過するＡ３サイズの半透明用紙である場合には、原稿検知センサ２２の光源４３からの光が原稿４０を透過し、カバー３０の白色領域上からの反射光が、原稿検知センサ２３の受光センサ５４により検知される。より厳密には、領域５２と、光源４３からの発光領域５１との重なる領域５０からの反射光が、原稿検知センサ２３の受光センサ５４により検知される。
【００２６】
このように、本実施形態においては、異なるサイズ検知位置に配置された原稿検知センサの光源の発光を制御し、カバー３０が所定の角度にあるときに所定の原稿検知センサの受光センサが反射光を検知すると、その原稿を半透明用紙であると判定する。
【００２７】
図６は、本実施形態における原稿種類判定処理の手順を示すフローチャートである。図６に示す各処理は、例えば、図２に示すＣＰＵ２１がＲＯＭに記憶されているプログラムを読み出して実行することにより実現される。
【００２８】
まず、ユーザは、原稿用紙を透明原稿台３０１上に配置し、カバー３０を閉じる動作を開始する。このとき、透明原稿台３０１の下方には、Ａ３サイズの原稿を検知するための原稿検知センサ２２と、Ａ４サイズの原稿を検知するための原稿検知センサ２３とが設けられており、いずれの光源（光源４３及び光源５３）も発光していない。以下、第１原稿サイズの一例としてＡ３サイズ、第１原稿サイズより小さい第２原稿サイズの一例としてＡ４サイズを説明する。しかしながら、原稿サイズに大小関係があるのであれば、Ａ３サイズやＡ４サイズでなく、他のサイズであっても良い。
【００２９】
Ｓ６０１において、開閉検知センサ２５がオン状態となってカバー３０が所定の角度になったことを検出したか否かが判定される。ここで、カバー３０が所定の角度になったことを検出したと判定された場合にはＳ６０２に進み、検出していないと判定された場合にはＳ６０１の処理を繰り返す。
【００３０】
次に、Ｓ６０２において、第１原稿サイズ（Ａ３サイズ）の原稿を検知するための原稿検知センサ２２の光源４３を発光させる。Ｓ６０３において、原稿検知センサ２３の受光センサ５４がオン状態（反射光を検知）であるか否かが判定される。ここで、原稿検知センサ２３の受光センサ５４がオン状態であると判定された場合にはＳ６０４に進み、原稿検知センサ２３の受光センサ５４がオン状態でないと判定された場合にはＳ６０６に進む。
【００３１】
また、Ｓ６０２で、原稿検知センサ２２の光源４３の発光の後、原稿検知センサ２２の受光センサ４４がオン状態であることが検出され、透明原稿台３０１上に配置された原稿用紙がＡ３サイズであると判定を行った後に、Ｓ６０３に進むようにしても良い。
【００３２】
Ｓ６０４において、ユーザにより透明原稿台３０１上に配置された原稿用紙の種類は通常用紙より透明度が高い例えば半透明用紙であると判定（特定）する。Ｓ６０４による判定後には、Ｓ６０５において、ユーザにより透明原稿台３０１上に配置された原稿用紙の読取を裏映り処理モードで実行する。ここで、裏映り処理モードとは、読取ユニット３０２の読取動作により取得された画像データに対して、透過光のために強調された明度を補正するために色調補正やレベル補正等を実行する読取モードをいう。
【００３３】
一方、Ｓ６０６において、ユーザにより透明原稿台３０１上に配置された原稿用紙の種類は通常用紙であると判定する。Ｓ６０６による判定後には、Ｓ６０７において、ユーザにより透明原稿台３０１上に配置された原稿用紙の読取を通常モードで実行する。通常モードでは、Ｓ６０５で実行されるような、透過光のために強調された明度を補正するための各補正処理等は実行されない。
【００３４】
図７は、図６のＳ６０３で受光センサ５４がオン状態であると判定された場合の原稿検知センサ２３の受光センサ５４の受光検知結果の変化を示す図である。図７において、横軸は時間変化を示す。図７の上段は、Ｓ６０２における原稿検知センサ２２の光源４３の発光変化を示す。本実施形態においては、図６の原稿種類判定処理を行う場合の光源発光時間は１０ｍｓである。しかしながら、各原稿検知センサの受光センサの検知精度に応じて、発光時間はより長くしても良いし、より短くしても良い。
【００３５】
図７の上段に示すように、原稿検知センサ２２の光源４３が発光している場合には、原稿４０が半透明用紙であっても、原稿検知位置１での反射光を原稿検知センサ２２の受光センサ４４が検知する。その際には、原稿サイズが原稿検知センサ２２に対応するサイズであることが分かる。また、同時に、図７の下段に示すように、原稿検知センサ２２の光源４３が発光している場合には、原稿４０を透過した透過光が領域５０で反射された反射光を、原稿検知センサの２３の受光センサ５４が検知する（破線Ａ）。その際に、原稿検知センサ２３の光源５３は発光していない。
【００３６】
その後、原稿検知センサ２２の光源４３の発光を停止する。そのときには、原稿検知センサ２３の受光センサ５４は反射光を検知しない（破線Ｂ）。そして、原稿検知センサ２３の光源５３を発光させる。そのときには、原稿検知センサ２３の光源５３からの光が図５の原稿検知位置２で反射した反射光を、原稿検知センサ２３の受光センサ５４が検知する（破線Ｃ）。
【００３７】
以上のように、図７の下段に示すような原稿検知センサ２３の受光センサ５４の受光検知結果の変化（破線Ａ、Ｂ、及びＣ）に基づいて、原稿４０が半透明用紙であると判定する。しかしながら、破線Ａ、Ｂ、Ｃに示すいずれかの状態に基づいて、原稿４０が半透明用紙であると判定しても良い。また、破線Ｃに示す状態後、即ち、原稿検知センサ２２の光源４３の発光を停止して原稿検知センサ２２の受光センサ４４が反射光を検知しないことを確認して、原稿４０が半透明用紙であると判定しても良い。
【００３８】
以上の実施形態においては、原稿サイズを検知するために、各原稿サイズの位置に配置された原稿検知センサ２２及び２３を用いて、原稿４０の媒体種類を検知した。しかしながら、原稿検知センサ２２及び２３と異なる、媒体種類を検知するセンサを、各原稿サイズの位置に配置され図５と同じ構成を有するセンサを用いて、図６の動作を実現するようにしても良い。
【符号の説明】
【００３９】
１００  複写機：  ３００  画像読取装置：  ４００  印刷装置：  ２１  ＣＰＵ
【図１】
2015222871.tif 000003
【図２】
2015222871.tif 000004
【図３】
2015222871.tif 000005
【図４】
2015222871.tif 000006
【図５】
2015222871.tif 000007
【図６】
2015222871.tif 000008
【図７】
2015222871.tif 000009